(57)【要約】      （修正有）【課題】水筒内の液温と外気温をともに正確に知ることができる水筒を提供する。【解決手段】水筒本体１０の内部に配置される温度変化を検知する第二の温度感知素子６０と、水筒本体外表面に配置される温度変化を検知する第一の温度感知素子と、水筒本体外表面に設けられる第一の表示ディスプレイ３０と、水筒本体外表面に設けられる第二の表示ディスプレイ４０と、第一の温度感知素子から導かれる温度を第一の表示ディスプレイ３０に表示させる第一の回路と、第二の温度感知素子から導かれる温度を第二の表示ディスプレイ４０に表示させる第二の回路を有するデジタル温度測定回路７０を設ける。【選択図】図２
2016023954.tif 000002
【特許請求の範囲】
【請求項１】
水筒本体と、
前記水筒本体内部に配置される温度変化を検知する第一の温度感知素子と、
前記水筒本体外表面に配置される温度変化を検知する第二の温度感知素子と、
前記水筒本体外表面に設けられる第一の表示ディスプレイと、
前記水筒本体外表面に設けられる第二の表示ディスプレイと、
前記第一の温度感知素子から導かれる温度を前記第一の表示ディスプレイに表示させる第一のデジタル温度測定回路と、
前記第二の温度感知素子から導かれる温度を前記第二の表示ディスプレイに表示させる第二のデジタル温度測定回路と
を有する水筒。
【発明の詳細な説明】
【技術分野】
【０００１】
本発明は、温度を表示することができる水筒に関する。
【背景技術】
【０００２】
水筒は、冷えた清涼飲料や熱いお茶など種々の温度の飲料を入れて持ち運ぶものである。この水筒内の飲料の温度は、時間経過とともに変化するが、水筒の所持者は、水筒内の温度を、外部環境と経過時間から経験により推測することが一般的である。また、気温が高いときには熱中症を予防するために、水分補給をすることが望ましいが、このような外気温も感覚で捉えていることがほとんどである。
【発明の概要】
【発明が解決しようとする課題】
【０００３】
ところで、時間経過が長い場合や、電車内や外気など雑多な環境を移動した場合などには、水筒内の温度を推測することは難しい。また、水筒内の温度を知ることができれば、氷を入れたり、温めなおしたりすること等により液温の調節が可能となる。そして、外気温を知ることができると、高温時には早めの水分補給を適切に行うことが可能となる。
本発明は、このような観点から、水筒内の液温と外気温をともに正確に知ることができるような水筒を提供することを課題とする。
【課題を解決するための手段】
【０００４】
上記課題を解決するために、本発明は次のような構成を有する。
即ち、本発明は、水筒として、水筒本体と、水筒本体内部に配置される温度変化を検知する第一の温度感知素子と、水筒本体外表面に配置される温度変化を検知する第二の温度感知素子と、水筒本体外表面に設けられる第一の表示ディスプレイと、水筒本体外表面に設けられる第二の表示ディスプレイと、前記第一の温度感知素子から導かれる温度を前記第一の表示ディスプレイに表示させる第一のデジタル温度測定回路と、前記第二の温度感知素子から導かれる温度を前記第二の表示ディスプレイに表示させる第二のデジタル温度測定回路とを有するものである。温度感知素子は、サーミスタ、白金測温抵抗体素子等の種々の測温抵抗体が例示される。
【発明の効果】
【０００５】
以上のような構成により本発明は、第一の表示ディスプレイに気温が表示され、第二の表示ディスプレイに水筒内の液温が表示されるので、正確な気温に基づいて、水分補給をすることができ、また、飲料の温度を予め知ることで、口に入れるまで温度がわからないということがなく、安心して飲料を飲むことができ、また、飲料の温度が適温から外れたときに、事前に調節することも可能となる。
【図面の簡単な説明】
【０００６】
【図１】本実施形態に係る水筒の一部破断正面図である。
【図２】図１のＡ−Ａ線断面図である。
【発明を実施するための形態】
【０００７】
本実施形態に係る水筒について、図を用いて説明する。図１に本実施形態に係る水筒Ｘの一部破断正面図を示し、図２に図１のＡ−Ａ線断面図を示す。水筒Ｘは水筒本体１０、表示ボックス２０、第一液晶ディスプレイ３０、第二液晶ディスプレイ４０、第一サーミスタ５０、第二サーミスタ６０、デジタル温度測定回路７０から構成される。
水筒本体１０は、一般的な水筒と同様に、容器１１、外蓋１２、内蓋１３から構成される。容器１１は縦長有底の円筒体であり、上部が２段階に小さく絞られ、各段は外周に雄ネジを形成する円筒状に形成される。容器１１の外周には有底円筒状のカバー１１ａが嵌められている。外蓋１２はカバー１１ａの外径と同じ外形を有する上面が閉じられた円筒体であり、下端内周に容器１１上部の下段側の雄ネジに係合する雌ネジが形成されている。内蓋は上面が閉じられた円筒体であり、下端内周に容器１１上部の上段側の雄ネジに係合する雌ネジが形成されている。
【０００８】
表示ボックス２０は、直方体形の箱体で上記容器１１のカバー１１ａ上端に固定されている。表示ボックス２０のカバー１１ａへの接合部はカバー１１ａ表面に合致するように円弧状に形成される。表示ボックス２０は、第一液晶ディスプレイ３０、第二液晶ディスプレイ４０、第一サーミスタ５０、デジタル温度測定回路７０を内蔵するものであり、第一液晶ディスプレイ３０、第二液晶ディスプレイ４０が表出する開口が正面に形成され、正面視右側に背面側に第一サーミスタ５０が配置される前面に複数の穴が設けられた板面が形成されている。
【０００９】
第一液晶ディスプレイ３０は、一般的な液晶ディスプレイであり、気温を表示する。第一液晶ディスプレイ３０は、表示ボックス２０の正面開口の上部に固定される。第二液晶ディスプレイ４０も、一般的な液晶ディスプレイであり、水筒内の液温を表示する。第二液晶ディスプレイ４０は、表示ボックス２０の正面開口の下部に固定される。
第一サーミスタ５０は、一般的な温度変化により抵抗値が変わるサーミスタであり、楕円球状の外郭に封入されている。第一サーミスタ５０は、表示ボックス２０の正面視右側内部に配置され、気温を検知するために使用される。
第二サーミスタ６０は、一般的な温度変化により抵抗値が変わるサーミスタであり、偏平な円盤状の外郭に封入されている。第二サーミスタ６０は、容器１１の底面中央に配置され、当該底面中央に設けられた穴から容器１１とカバー１１ａの間に挟まれる配線６１を介して表示ボックス２０内のデジタル温度測定回路７０に連結している。なお、第二サーミスタ６０は、容器１１の底面中央に液密的に固定されることで中央の穴から水分が漏れないようになっている。第二サーミスタ６０は容器１１内の液温を検知するために使用される。
【００１０】
デジタル温度測定回路７０は、サーミスタの抵抗変化を温度値に換算して液晶ディスプレイに数値として表示させる公知の回路であり、表示ボックス２０の内部に固定される基板上に配置される。ここでは、第一サーミスタ５０の抵抗値から導かれる温度を第一液晶ディスプレイ３０に表示させる第一の回路と、第二サーミスタ６０の抵抗値から導かれる温度を第二液晶ディスプレイ４０に表示させる第二の回路の２つが一つの基板上に配置されるものとする。なお、デジタル温度測定回路７０には電力を付与する図示しないボタン電池が着脱可能に固定されている。
【００１１】
次に、以上のような構成を有する水筒Ｘの使用方法について説明する。例えば夏場を想定すると、使用者は容器１１内に冷却した飲料を入れ、その後、内蓋１３、外蓋１２を係合固定させる。この状態で水筒を持ち運ぶと、表示ボックスの第一液晶ディスプレイ３０には、第一サーミスタ５０の抵抗値から導かれる気温が表示され、第二液晶ディスプレイ４０には、第二サーミスタ６０の抵抗値から導かれる容器１１内の液温が表示される。使用者は、第一液晶ディスプレイ３０の気温を見て、気温の高さに応じて適宜容器１１内の飲料を摂取するよう心がけることができる。特に、高齢者は暑さを感じにくくなるので、具体的数値として気温を認識することは有用である。また、第二液晶ディスプレイ４０を見て容器１１内の液温を把握することで、温度が高い場合は氷を加えることで、液温を調節することも可能となる。
このように本実施形態に係る水筒Ｘは、外気温と容器内の液温を知ることができるので、気温に応じて水分摂取のタイミングを判断したり、液温の調節を事前に行ったりすることができる。
【００１２】
なお、上記実施形態では、気温を測定するデジタル測定回路と液温を測定するデジタル回路を別々としているが一つの回路で実現することも可能であり、同様にディスプレイも一つのディスプレイに気温と液温を表示させるようにしてもよい。また、表示ボックスにプッシュスイッチを設け、プッシュスイッチを押したときだけ液晶ディスプレイに気温と液温表示させるようにすることで、電池の消耗を抑制するようにすることもできる。
【符号の説明】
【００１３】
１０  水筒本体
１１  容器
１２  外蓋
１３  内蓋
２０  表示ボックス
３０  第一液晶ディスプレイ
４０  第二液晶ディスプレイ
５０  第一サーミスタ
６０  第二サーミスタ
７０  デジタル温度測定回路
【図１】
2016023954.tif 000003
【図２】
2016023954.tif 000004